(57)【要約】【課題】フロントカバーをスムーズに開閉し得る情報記録媒体を提供する。【解決手段】磁気テープを巻回する一対のテープリールと、磁気テープのテープエンドを検出するための検出光を内部に入射させる窓部２６および検出光を外部に射出させる窓部３５が側壁２４，３４に形成されているケース本体３と、ケース本体３に回動可能に取り付けられて磁気テープの引き出し口（開口部１２ａ）を開閉するフロントカバー６と、リールブレーキ４とを備え、リールブレーキ４は、テープリールに対して接離する方向に沿ってスライド可能にケース本体３に配設された本体部４１と、本体部４１に形成されると共にフロントカバー６の回動に伴って両窓部２６，３５の間において接離する方向に沿って移動して本体部４１をスライドさせることで各テープリールの回転規制および回転規制の解除を行うための腕部４２とを備えている。【選択図】図１１
2006216218.tif 000002
【特許請求の範囲】
【請求項１】
磁気テープを巻回する一対のテープリールと、前記磁気テープのテープエンドを検出するための検出光を内部に入射させる第１窓部および当該検出光を外部に射出させる第２窓部がその側壁に形成されると共に前記一対のテープリールを回転可能に収容するケース本体と、当該ケース本体に回動可能に取り付けられて前記磁気テープの引き出し口を開閉するフロントカバーと、リールブレーキとを備え、
前記リールブレーキは、前記各テープリールに対して接離する方向に沿ってスライド可能に前記ケース本体に配設された本体部と、当該本体部に形成されると共に前記フロントカバーの回動に伴って前記両窓部の間において前記接離する方向に沿って移動して当該本体部をスライドさせることで前記各テープリールの回転規制および当該回転規制の解除を行うための腕部とを備えている情報記録媒体。
【請求項２】
前記第１窓部および前記第２窓部は両者が相俟って単一の開口部を構成し、
前記リールブレーキは、前記開口部における前記第１窓部として機能する第１領域と、前記開口部における前記第２窓部として機能する第２領域とを区画する位置において前記腕部が前記各テープリールに対して接離する方向に沿って移動するように構成されている請求項１記載の情報記録媒体。
【発明の詳細な説明】
【技術分野】
【０００１】
本発明は、一対のテープリールと、そのテープリールを回転可能に収容するケース本体と、そのテープリールの回転を規制するリールブレーキとを備えた情報記録媒体に関するものである。
【背景技術】
【０００２】
この種の情報記録媒体として、特開２０００−１３７９７１号公報に開示されたテープカートリッジが知られている。このテープカートリッジは、磁気テープを巻装した一対のリールと、上ハーフおよび下ハーフで構成されて各リールを回転可能に収容するシェルと、シェルの前端面側に回動可能に取り付けられて、シェルのテープ引出用のポケット部を開閉するリッド（フロントカバー）と、ポケット部の底部を開閉するスライドシャッターと、リッドの開閉動作に連動して各リールのロックおよびロック解除を行うリールロック部材と、リールロック部材を付勢するリールロックスプリングとを備えている。
【特許文献１】特開２０００−１３７９７１号公報（第３頁、第３−４図）
【発明の開示】
【発明が解決しようとする課題】
【０００３】
ところが、従来のテープカートリッジには、以下の問題点がある。すなわち、この種のテープカートリッジを駆動するドライブ装置では、テープカートリッジ内の磁気テープに対して検出光を照射して、磁気テープのテープエンドを検出している。このため、この種のテープカートリッジには、検出光をシェルの内部に入射させる入射用孔、および検出光をシェルの外部に出射させる出射用孔が、シェルの側壁に形成されている。この場合、この種のテープカートリッジでは、リッドに係合するリールロック部材のアームによって両孔からの検出光の入射および出射が阻害されないようにするために、アームが両孔よりも下側に位置するように構成されている。このため、リッドが回動する際に、リッドの回転軸から遠い位置でアームの先端部とリッドとが係合してリールロック部材がスライドさせられている。この場合、リールロックスプリングの付勢力に抗してリールロック部材をスライドさせるのに必要なリッドの回転力は、リッドの回転軸からアームが係合する位置までの距離が長ければ長いほど大きくなる。したがって、上記したテープカートリッジでは、リッドの回転軸からアームが係合する位置までの距離が長いことに起因して、リッドの開閉をスムーズに行うのが困難となるおそれがある。一方、側壁に孔が形成されたシェルを射出成形によって製造する際には、スライドコアを有するスライド金型を用いる必要がある。この場合、スライド金型は、スライドコアを有していない一般の金型と比較して、構造が複雑な分だけ多額の製作コストを必要とする。したがって、上記したテープカートリッジでは、金型の製作コストに起因して、製造コストの低減が困難となっている。
【０００４】
本発明は、かかる問題点に鑑みてなされたものであり、フロントカバーをスムーズに開閉し得る情報記録媒体を提供することを主目的とする。また、製造コストを低減し得る情報記録媒体を提供することを他の目的とする。
【課題を解決するための手段】
【０００５】
上記目的を達成すべく本発明に係る情報記録媒体は、磁気テープを巻回する一対のテープリールと、磁気テープのテープエンドを検出するための検出光を内部に入射させる第１窓部および検出光を外部に射出させる第２窓部がその側壁に形成されると共に一対のテープリールを回転可能に収容するケース本体と、ケース本体に回動可能に取り付けられて磁気テープの引き出し口を開閉するフロントカバーと、リールブレーキとを備え、リールブレーキは、各テープリールに対して接離する方向に沿ってスライド可能にケース本体に配設された本体部と、本体部に形成されると共にフロントカバーの回動に伴って両窓部の間において各テープリールに対して接離する方向に沿って移動して本体部をスライドさせることで各テープリールの回転規制および回転規制の解除を行うための腕部とを備えている。
【０００６】
また、本発明に係る情報記録媒体は、第１窓部および第２窓部は両者が相俟って単一の開口部を構成し、リールブレーキは、開口部における第１窓部として機能する第１領域と、開口部における第２窓部として機能する第２領域とを区画する位置において腕部が各テープリールに対して接離する方向に沿って移動するように構成されている。
【発明の効果】
【０００７】
本発明に係る情報記録媒体では、第１窓部と第２窓部との間において各テープリールに対して接離する方向に沿って腕部が移動するようにリールブレーキが構成されている。このため、例えば、両窓部よりもケース本体の底板側の位置において腕部が移動させられる構成と比較して、フロントカバーの回転軸から、フロントカバーとリールブレーキとが係合する腕部の先端部までの距離を短くできるため、その分、フロントカバーを回動させるのに必要な力を少なく抑えることができる。したがって、フロントカバーをスムーズに回動させることができる。
【０００８】
また、本発明に係る情報記録媒体では、第１窓部および第２窓部が相俟って単一の開口部が構成され、第１領域と第２領域とを区画する位置において各テープリールに対して接離する方向に沿って腕部が移動するようにリールブレーキが構成されている。このため、ケース本体を下ケースおよび上ケースで構成したときに、検査光の入射および出射を行わせる機能を有する開口部を、両ケースにそれぞれ形成した例えば２つの切り欠きで構成することができる。このため、下ケースおよび上ケースを例えば射出成形によって製造する際には、スライドコアを有していない一般的な金型を用いることができる。したがって、スライドコアを有する特殊なスライド金型と比較して一般的な金型の製作コストが安いため、その分、下ケースおよび上ケースの製造コストひいては情報記録媒体の製造コストを低減することができる。
【発明を実施するための最良の形態】
【０００９】
以下、本発明に係る情報記録媒体の最良の形態について、添付図面を参照して説明する。
【００１０】
最初に、情報記録媒体１の構成について、図面を参照して説明する。
【００１１】
図１に示す情報記録媒体１は、例えば、電子計算機に記録されたデータをバックアップするためのストレージデバイスとして用いられる２リールタイプのカートリッジ式の情報記録媒体であって、同図に示すように、磁気テープＴが巻回されたテープリール２，２、ケース本体３、リールブレーキ４、スライド部５（図２参照）およびフロントカバー６を備えて構成されている。
【００１２】
テープリール２は、図１，２に示すように磁気テープＴを巻回可能に構成されて、ケース本体３の内部に収容されている。この場合、テープリール２の一端部（図２では上端部）には、リールブレーキ４の突起部４１ａが係合されることによって回転が規制される歯部２ａが形成されている。ここで、テープリール２に巻回される磁気テープＴの両端部には、透明または半透明のリーダーテープ（図示せず）がそれぞれ取り付けられており、各リーダーテープの端部が各テープリール２，２にそれぞれ固定されている。
【００１３】
ケース本体３は、図２に示すように、互いに嵌合可能な下ケース１１および上ケース１２を備えて構成されて、両ケース１１，１２の嵌合状態において形成される内部空間にテープリール２，２を回転可能に収容する。下ケース１１は、図４に示すように、底板２１、後壁２２、側壁２３，２３、側壁２４，２４および前壁２５を備えて、全体として、浅皿状に形成されている。底板２１は、同図に示すように、情報記録媒体１をドライブ装置に挿入する際の前面側（図１において下側）の中央部に切り欠き部２１ａが形成されて構成されている。この場合、この切り欠き部２１ａおよび後述する上ケース１２の開口部１２ａで本発明における磁気テープの引き出し口が構成される。また、底板２１には、ドライブ装置の駆動軸を挿通させるための円形の挿通孔２１ｂ，２１ｂが形成されている。後壁２２、側壁２３，２３、側壁２４，２４および前壁２５は、底板２１の縁部にそれぞれ立設されている。また、側壁２４，２４には、図２，３に示すように、矩形の孔で構成された窓部２６（本発明における第１窓部）がそれぞれ形成されている。この場合、窓部２６は、磁気テープＴのテープエンドを検出するドライブ装置の検出部から射出される検出光Ｌ（図１参照）をケース本体３の内部に入射させる。
【００１４】
上ケース１２は、図５に示すように、天板３１、後壁３２、側壁３３，３３および側壁３４，３４を備えて、ドライブ装置に挿入する際の前面側に開口部１２ａを有する浅皿状に形成されている。天板３１は、全体として矩形に形成されている。また、天板３１の中央部には、矩形の天窓３１ａが形成され、この天窓３１ａには、透明な（またはほぼ透明な）カバー３１ｂが取り付けられている。後壁３２、側壁３３，３３および側壁３４，３４は、天板３１の縁部にそれぞれ立設されている。また、側壁３４，３４には、図２，３に示すように、矩形の孔で構成された窓部３５（本発明における第２窓部）がそれぞれ形成されている。この場合、窓部３５は、下ケース１１の窓部２６から入射して、下ケース１１または上ケース１２に配設されている図外のプリズムによって光路を逆Ｕ字状に変更させられた検出光Ｌをケース本体３の外部に出射させる。
【００１５】
リールブレーキ４は、図６に示すように、本体部４１および腕部４２，４２を備えて構成されている。本体部４１は、図１に示すように、テープリール２，２に対して接離する方向に沿ってスライド可能にケース本体３の内部に配設されると共に、図外のスプリングによってテープリール２，２に近接する向きに付勢されている。また、本体部４１には、２つの突起部４１ａ，４１ａが形成されている。この場合、本体部４１は、テープリール２，２に近接したときに、突起部４１ａ，４１ａがテープリール２，２の歯部２ａにそれぞれ係合することにより、テープリール２，２の回転を規制する。また、本体部４１は、テープリール２，２から離間したときにテープリール２，２の歯部２ａに対する突起部４１ａ，４１ａの係合が解除されることにより、テープリール２，２の回転規制を解除する。腕部４２，４２は、図６に示すように、本体部４１の両端部にそれぞれ突出形成されている。この場合、腕部４２，４２は、図１１，１２に示すように、フロントカバー６が回動する際に、その先端部に形成されている突起部４２ａがフロントカバー６の突起部６２ａ，６２ｂ（図８参照）に係合して、フロントカバー６の回動に伴って移動することにより、テープリール２，２に対して接離する方向に沿って本体部４１をスライドさせる。また、腕部４２，４２は、図１１，１２に示すように、下ケース１１の側壁２４，２４にそれぞれ形成されている窓部２６と、上ケース１２の側壁３４，３４にそれぞれ形成されている窓部３５との間における側壁３４，３４に沿って、つまりテープリール２，２に対して接離する方向に沿ってそれぞれ移動するようにその長さや位置が規定されている。
【００１６】
スライド部５は、図７に示すように、本体部５１および側壁５２，５２を備えて構成されている。本体部５１は、矩形の板状に形成されている。また、本体部５１には、ドライブ装置の駆動軸を挿通させるための円形の挿通孔５１ａ，５１ａが形成されている。側壁５２，５２は、本体部５１の両端部にそれぞれ立設されている。この場合、スライド部５は、図２，９，１０に示すように、下ケース１１にスライド可能に嵌め合わされている。フロントカバー６は、図８に示すように、本体部６１、および本体部６１の両端部に形成された支持部６２，６２を備えて構成されている。また、支持部６２，６２には、突起部６２ａ，６２ｂがそれぞれ形成されている。この場合、フロントカバー６は、図１，２に示すように、上ケース１２の側壁３４，３４における開口部１２ａ（図５参照）の近傍において支持部６２，６２が回動可能に取り付けられて、ドライブ装置によって回動させられることにより、本体部６１が開口部１２ａを開閉する。また、フロントカバー６は、回動させられる際に、支持部６２の突起部６２ａ，６２ｂがリールブレーキ４の腕部４２における先端部の突起部４２ａに係合して腕部４２を移動させることにより、本体部４１（リールブレーキ４）をテープリール２，２に対して接離する方向に沿ってスライドさせる。
【００１７】
次に、記録再生時における情報記録媒体１の動作について、図面を参照して説明する。
【００１８】
この情報記録媒体１が図外のドライブ装置から取り出されている状態、つまり非使用時においては、図１，２に示すように、リールブレーキ４の本体部４１が、図外のスプリングの付勢力によってテープリール２，２に近接している。このため、本体部４１の突起部４１ａ，４１ａがテープリール２，２の歯部２ａにそれぞれ係合して、テープリール２，２の回転が規制されている。また、図９に示すように、スライド部５が、ケース本体３におけるフロントカバー６側の位置Ｐ１に位置している。また、この状態では、図２に示すように、フロントカバー６が、ケース本体３における上ケース１２の開口部１２ａを閉塞している。
【００１９】
一方、情報記録媒体１がドライブ装置の挿入口から装填部に向けて挿入されたときには、装填部が情報記録媒体１を内部に引き込む。この際に、挿入口の近傍に取り付けられた当接部（図示せず）にスライド部５の底面が当接した状態で情報記録媒体１が引き込まれる。このため、図１０に示すように、スライド部５が、下ケース１１の後壁２２側にスライドさせられて、ケース本体３における後壁２２側の位置Ｐ２に位置する。この状態では、スライド部５の挿通孔５１ａと下ケース１１の挿通孔２１ｂが連通すると共に、下ケース１１における底板２１の切り欠き部２１ａが開口される。次に、例えば、装填部が、ドライブ装置内の駆動軸の先端部に向けて情報記録媒体１を移動させる。この際に、駆動軸が挿通孔５１ａ，２１ｂを通ってテープリール２の中心部に挿入される。
【００２０】
次に、ドライブ装置が、図１２に示すように、フロントカバー６を回動させることにより、上ケース１２の開口部１２ａが開放される。この際に、フロントカバー６における支持部６２の突起部６２ａ，６２ａが、リールブレーキ４の腕部４２，４２における先端部の突起部４２ａに係合して、腕部４２，４２を開口部１２ａ側に移動させる。これに伴い、リールブレーキ４の本体部４１が、図外のスプリングによる付勢力に抗してテープリール２，２から離間する方向に沿ってスライドさせられる。このため、テープリール２，２の歯部２ａと本体部４１の突起部４１ａ，４１ａとの係合が解除されて、テープリール２，２の回転の規制が解除される。この場合、リールブレーキ４は、同図に示すように、下ケース１１の窓部２６と上ケース１２の窓部３５との間においてテープリール２，２に対して接離する方向に沿って腕部４２，４２がそれぞれ移動するように構成されている。このため、例えば、窓部２６よりも底板２１側の位置において腕部４２が移動させられる構成と比較して、フロントカバー６における支持部６２の回転軸６ａから、リールブレーキ４に加えられているスプリングの付勢力が作用する腕部４２，４２の先端部の突起部４２ａまでの距離が短い分、フロントカバー６を回動させるのに必要な力が少なく抑えられている。この結果、フロントカバー６がスムーズに回動させられる。
【００２１】
次いで、ドライブ装置が磁気テープＴを磁気ヘッドに当接させると共に、テープリール２，２を回転させて、データの読み出しや書き込みを開始する。また、ドライブ装置に配設されているテープエンド検出部が、検出光Ｌを射出する。この場合、検出光Ｌは、例えば、ケース本体３における下ケース１１の窓部２６から入射して、磁気テープＴに照射される。続いて、磁気テープＴが一方のテープリール２に巻き取られて、他方のテープリール２に巻回されていた磁気テープＴがテープエンドとなったときには、検出光Ｌが、磁気テープＴの端部に取り付けられているリーダーテープを透過して、ケース本体３内に配設されている図外のプリズムによって光路が逆Ｕ字状に変更させられて、ケース本体３における上ケース１２の窓部３５を介してケース本体３の外部に出射する。この際に、テープエンド検出部が検出光Ｌを受光し、これに応じて、ドライブ装置がデータの読み出しや書き込みを終了すると共に、テープリール２，２の回転を停止させる。次に、ドライブ装置は、磁気テープＴから磁気ヘッドを離間させる。
【００２２】
次いで、装填部が、駆動軸の先端部から情報記録媒体１を離間させる。続いて、ドライブ装置が、上記した方向とは逆方向にフロントカバー６を回動させることにより、図１１に示すように、上ケース１２の開口部１２ａが閉塞される。この際に、同図に示すように、フロントカバー６における支持部６２の突起部６２ｂ，６２ｂが、リールブレーキ４の腕部４２，４２における先端部の突起部４２ａに係合して、腕部４２，４２をテープリール２，２側に移動させる。これに伴い、リールブレーキ４の本体部４１が、テープリール２，２に近接する方向に沿って移動させられる。このため、テープリール２，２の歯部２ａに本体部４１の突起部４１ａ，４１ａが係合して、テープリール２，２の回転が規制される。次に、装填部が、挿入口の外側に向けて情報記録媒体１を押し出す。この際に、図９に示すように、スライド部５が、位置Ｐ１側にスライドさせられて、下ケース１１における底板２１の切り欠き部２１ａが閉塞される。これにより、情報記録媒体１がドライブ装置の挿入口から取り出し可能な状態となる。
【００２３】
このように、この情報記録媒体１によれば、下ケース１１の窓部２６と上ケース１２の窓部３５との間においてテープリール２，２に対して接離する方向に沿って腕部４２，４２がそれぞれ移動するようにリールブレーキ４を構成したことにより、例えば、下ケース１１の窓部２６よりも底板２１側の位置において腕部が移動させられる構成と比較して、フロントカバー６における支持部６２の回転軸６ａから、リールブレーキ４に加えられているスプリングの付勢力が作用する腕部４２，４２の先端部までの距離を短くできるため、その分、フロントカバー６を回動させるのに必要な力を少なく抑えることができる。したがって、フロントカバー６をスムーズに回動させることができる。
【００２４】
次に、図１に示す情報記録媒体１０１について説明する。なお、情報記録媒体１０１では、情報記録媒体１と同様にして、基本的に本発明が適用されている。したがって、情報記録媒体１と同じ構成要素については同一の符号を付して重複する説明を省略する。情報記録媒体１０１は、同図に示すように、磁気テープＴが巻回されたテープリール２，２、ケース本体１０３、リールブレーキ１０４、スライド部５およびフロントカバー６を備えて構成されている。ケース本体１０３は、互いに嵌合可能な下ケース１１１および上ケース１１２を備えている。下ケース１１１は、図４に示すように、底板２１、後壁２２、側壁２３，２３、側壁１２４，１２４および前壁２５を備えている。また、側壁１２４，１２４には、図１３，１４に示すように、切り欠き１２６がそれぞれ形成されている。
【００２５】
上ケース１１２は、図５に示すように、天板３１、後壁３２および側壁３３，３３、側壁１３４，１３４を備えている。また、側壁１３４，１３４には、図１３，１４に示すように、切り欠き１３５がそれぞれ形成されている。この切り欠き１３５および下ケース１１１の切り欠き１２６は、上ケース１１２および下ケース１１１の嵌合状態において互いに連通することにより、両者が相俟って単一の窓部１３１を構成する。この場合、窓部１３１は、本発明における開口部に相当し、テープエンド検出用部から射出される検出光Ｌ（図１参照）をケース本体１０３の内部に入射させると共に、検出光Ｌをケース本体１０３の外部に出射させる。ここで、上記したように、下ケース１１１の側壁１２４，１２４には、情報記録媒体１における窓部２６を構成する孔に代えて、切り欠き１２６が形成されている。また、上ケース１１２の側壁１３４，１３４には、情報記録媒体１における窓部３５を構成する孔に代えて、切り欠き１３５が形成されている。このため、下ケース１１１および上ケース１１２を例えば射出成形によって製造する際には、側壁に孔が形成されているケースとは異なり、スライドコアを有していない一般的な金型を用いることができる。この場合、スライドコアを有する特殊なスライド金型と比較して一般的な金型の製作コストが安いため、その分、下ケース１１１および上ケース１１２の製造コストを低減することができる。
【００２６】
リールブレーキ１０４は、図６に示すように、本体部４１と腕部１４２，１４２とを備えて構成されている。この場合、腕部１４２，１４２は、図１３，１４に示すように、フロントカバー６の回動に伴い、ケース本体１０３の窓部１３１における上下方向（厚み方向）の中央部を横切るようにしてテープリール２，２に対して接離する方向に沿ってそれぞれ移動するように、その長さや位置が規定されている。つまり、腕部１４２，１４２は、本発明における第１領域と、第２領域とを区画する位置において、ケース本体１０３の窓部１３１における上下方向（厚み方向）の中央部を横切るようにしてそれぞれ移動するように、その長さや位置が規定されている。この場合、腕部１４２によって区画された窓部１３１における２つの領域のうちの下ケース１１１側の領域１３１ａ（両図参照）が本発明における第１領域に相当し、情報記録媒体１における窓部２６と同様に機能する。また、窓部１３１における２つの領域のうちの上ケース１１２側の領域１３１ｂ（両図参照）が本発明における第２領域に相当し、情報記録媒体１における窓部３５と同様に機能する。また、下ケース１１１側の領域１３１ａと上ケース１１２側の領域１３１ｂとは、下ケース１１１側の領域に入射した検出光Ｌが上ケース１１２側の領域に直接入射されないように、腕部１４２によって互いに遮光可能に仕切られている。
【００２７】
この情報記録媒体１０１では、情報記録媒体１と同様にして、非使用時において、リールブレーキ１０４によってテープリール２，２の回転が規制されている。また、図１３に示すように、フロントカバー６が、ケース本体１０３における上ケース１１２の開口部１１２ａを閉塞している。一方、情報記録媒体１０１がドライブ装置の装填部に装填されたときには、図１４に示すように、ドライブ装置がフロントカバー６を回動させる。この際に、フロントカバー６の回動に伴ってリールブレーキ１０４の腕部１４２，１４２が情報記録媒体１０１の前面側に移動させられることにより、テープリール２，２の回転の規制が解除される。この場合、リールブレーキ１０４は、同図に示すように、ケース本体１０３の窓部１３１における上下方向の中央部を横切るようにして、テープリール２，２に対して接離する方向に沿ってそれぞれ移動するように構成されている。このため、情報記録媒体１と同様にして、フロントカバー６を回動させるのに必要な力が少なく抑えることができる結果、フロントカバー６がスムーズに回動させられる。
【００２８】
次に、ドライブ装置がデータの読み出しや書き込みを開始した際には、ドライブ装置のテープエンド検出部が、検出光Ｌを射出する。この場合、検出光Ｌが、例えば、腕部１４２によって区画された窓部１３１における２つの領域のうちの下ケース１１１側の領域から入射して、磁気テープＴに照射される。次いで、磁気テープＴが一方のテープリール２に巻き取られたときには、検出光Ｌが、リーダーテープを透過して、プリズムによって逆Ｕ字状に光路変更させられて、窓部１３１における２つの領域のうちの上ケース１１２側の領域からケース本体１０３の外部に出射する。この際に、テープエンド検出部が検出光Ｌを受光し、これに応じて、ドライブ装置が、テープリール２，２の回転を停止させる。以下、ドライブ装置が、上記と同様に動作することにより、情報記録媒体１０１がドライブ装置の挿入口から取り出し可能な状態となる。
【００２９】
このように、情報記録媒体１０１によれば、ケース本体１０３の窓部１３１における上下方向の中央部を横切る位置においてテープリール２，２に対して接離する方向に沿って腕部１４２，１４２がそれぞれ移動するようにリールブレーキ１０４を構成したことにより、検査光の入射および出射を行わせる機能を有する窓部１３１を２つの切り欠き１２６，１３５で構成することができる。このため、下ケース１１１および上ケース１１２を例えば射出成形によって製造する際には、スライドコアを有していない一般的な金型を用いることができる。したがって、スライドコアを有する特殊なスライド金型と比較して一般的な金型の製作コストが安いため、その分、下ケース１１１および上ケース１１２の製造コストひいては情報記録媒体１０１の製造コストを低減することができる。
【００３０】
なお、本発明は、上記の構成に限定されない。例えば、上記の情報記録媒体１では、下ケース１１の側壁２４，２４に窓部２６が形成され、上ケース１２の側壁３４，３４に窓部３５が形成されているが、下ケース１１の側壁２４，２４に両窓部２６，３５を形成してもよいし、上ケース１２の側壁３４，３４に両窓部２６，３５を形成してもよい。また、上記の情報記録媒体１では、窓部２６，３５が孔で構成されているが、窓部２６，３５のいずれか一方を切り欠きで構成してもよい。また、上記の情報記録媒体１０１では、２つの切り欠き１２６，１３５で窓部１３１が構成されているが、下ケース１１１の側壁１２４および上ケース１１２の側壁１３４のいずれか一方のみに形成した切り欠きで窓部１３１を構成することもできる。
【００３１】
また、電子計算機に記録されたデータのバックアップに用いられる情報記録媒体１を例に挙げて説明したが、本発明に係る情報記録媒体には、画像データの記録に用いられる情報記録媒体や、音声データの記録に用いられる情報記録媒体などの各種の情報記録媒体が含まれる。
【図面の簡単な説明】
【００３２】
【図１】情報記録媒体１（１０１）の平面図である。
【図２】情報記録媒体１を一方の側面側から見た側面図である。
【図３】情報記録媒体１を他方の側面側から見た側面図である。
【図４】下ケース１１（１１１）の平面図である。
【図５】上ケース１２（１１２）の平面図である。
【図６】リールブレーキ４（１０４）の平面図である。
【図７】スライド部５の平面図である。
【図８】フロントカバー６の平面図である。
【図９】非使用状態の情報記録媒体１を裏面側から見た平面図である。
【図１０】使用状態の情報記録媒体１を裏面側から見た平面図である。
【図１１】非使用状態における情報記録媒体１の側面図である。
【図１２】使用状態における情報記録媒体１の側面図である。
【図１３】非使用状態における他の情報記録媒体１０１の側面図である。
【図１４】使用状態における他の情報記録媒体１０１の側面図である。
【符号の説明】
【００３３】
１，１０１  情報記録媒体
２  テープリール
３，１０３  ケース本体
４，１０４  リールブレーキ
６  フロントカバー
１２ａ  開口部
２１ａ  切り欠き部
２４，３４，１４，１３４  側壁
２６，３５，１３１  窓部
４１  本体部
４２，１４２  腕部
１２６，１３５  切り欠き
１３１ａ，１３１ｂ  領域
Ｌ  検出光
Ｔ  磁気テープ
【図１】
2006216218.tif 000003
【図２】
2006216218.tif 000004
【図３】
2006216218.tif 000005
【図４】
2006216218.tif 000006
【図５】
2006216218.tif 000007
【図６】
2006216218.tif 000008
【図７】
2006216218.tif 000009
【図８】
2006216218.tif 000010
【図９】
2006216218.tif 000011
【図１０】
2006216218.tif 000012
【図１１】
2006216218.tif 000013
【図１２】
2006216218.tif 000014
【図１３】
2006216218.tif 000015
【図１４】
2006216218.tif 000016